(57)【特許請求の範囲】
【請求項１】
通風路を有するとともに矩形の断面形状をなす装置本体を備え、この通風路の下流端が車室への吹出口として提供される車両用レジスタ装置において、
上記通風路の少なくとも下流部には、矩形の断面形状を有する筒形状の内ケースが収容され、この内ケースにより、上記通風路が、上記内ケースの内側の内側流路と、上記装置本体と上記内ケースとの間の周辺流路とに区画され、
上記内ケースの周壁において、上記通風路の延び方向と直交する第１方向に互いに対向する壁が、一対の第１送風ガイドとして提供され、
上記一対の第１送風ガイドは、上記吹出口に向かうにしたがって上記第１方向に互いに離れるように、上記通風路の中心軸線に対して傾斜しており、
さらに流路選択機構を備え、この流路選択機構は、上記通風路において上記内ケースの上流側に配置されるとともに上記第１方向に離間した一対の制御板を有し、
上記一対の制御板はその基端部が上記装置本体に回動可能に支持されており、これら一対の制御板の先端部が上記一対の第１送風ガイドの上流側縁部に近づいた時に、上記周辺流路において互いに上記第１方向に対向する流路部分が閉じられ、
上記内ケースの周壁において、上記第１方向と直交する第２方向に互いに対向する壁の上流側端部には、上記装置本体の上記第２方向に対向する壁に向かって突出する遮蔽凸部が形成され、上記一対の制御板はこれら遮蔽凸部と協働して上記周辺流路を全周にわたって閉じることを特徴とする車両用レジスタ装置。
【請求項２】
上記一対の第１送風ガイドの外面には、複数のガイドリブが設けられて第２送風ガイドとして提供され、上記複数の第２送風ガイドは、上記吹出口に向かうにしたがって上記第２方向に互いに離れるように、上記通風路の中心軸線に対して傾斜していることを特徴とする請求項１に記載の車両用レジスタ装置。
【請求項３】
上記第１、第２送風ガイドと装置本体の周壁との間にそれぞれ形成される流路部分は、上記吹出口に向かうにしたがって狭められていることを特徴とする請求項２に記載の車両用レジスタ。
【請求項４】
上記内側流路の流通断面積が上記吹出口に向かって増大し、上記周辺流路の流通断面積が上記吹出口に向かって減少することを特徴とする請求項１に記載の車両用レジスタ装置。
【請求項５】
上記内ケース内には風向きを変えるための風向調節機構が設置されていることを特徴とする請求項１〜４のいずれかに記載の車両用レジスタ装置。
【請求項６】
上記流路選択機構はさらに、上記装置本体の下流側端部に設けられた操作部材と、この操作部材と上記一対の制御板の基端部とを連携するリンク機構とを有し、このリンク機構は上記操作部材の操作に応答して上記一対の制御板を互いに逆方向に同時に回動させるように構成されていることを特徴とする請求項１〜５のいずれかに記載の車両用レジスタ装置。
【発明の詳細な説明】
【技術分野】
【０００１】
本発明は、車両の空調装置の吹き出し側に接続されるレジスタ装置に関する。
【背景技術】
【０００２】
車両の空調装置の吹き出し側に接続されるレジスタ装置は、インストルメントパネルに設置されている。このレジスタ装置は、通風路を有する装置本体を備えている。この通風路の下流端が車室への吹出口として提供される。
【０００３】
特許文献１及び２に開示されているように、上記通風路の吹出口には、空気の吹き出し方向を変える風向調節機構が設置されている。
【先行技術文献】
【特許文献】
【０００４】
【特許文献１】特開平１１−２２２０２８号公報
【特許文献２】特開２００７−７６４８１号公報
【発明の概要】
【発明が解決しようとする課題】
【０００５】
特許文献１，２に開示されたレジスタ装置では、通風路を通る空気は、風向調節機構により吹き出す方向を変えることができるものの、集中して狭い角度範囲で吹き出すようになっており、そのため、乗員が不快に感じることがあった、
【課題を解決するための手段】
【０００６】
本発明は上記課題を解決するためになされたもので、通風路を有する装置本体を備え、この通風路の下流端が車室への吹出口として提供される車両用レジスタ装置において、上記通風路の少なくとも下流部には、対をなす第１送風ガイドが配置され、これら対をなす第１送風ガイドは、上記通風路の延び方向と直交する第１方向において互いに対向するともに、上記吹出口に向かうにしたがって上記第１方向に互いに離れるように、上記通風路の中心軸線に対して傾斜していることを特徴とする。
上記構成によれば、対をなす第１送風ガイドにより、空調装置からの空気が第１方向に広がって吹き出すので、拡散送風を実現でき、快適さを高めることができる。
【０００７】
好ましくは、さらに上記通風路の少なくとも下流部には、対をなす第２送風ガイドが配置され、これら対をなす第２送風ガイドは、上記通風路の延び方向と直交するとともに上記第１方向と直交する第２方向において互いに対向するとともに、上記吹出口に向かうにしたがって上記第２方向に互いに離れるように、上記通風路の中心軸線に対して傾斜している。
上記構成によれば、互いに直交する第１方向、第２方向に空気の吹き出し範囲を広げることができるので、より一層快適さを高めることができる。
【０００８】
好ましくは、上記第１、第２送風ガイドと装置本体の周壁との間にそれぞれ形成される流路部分は、上記吹出口に向かうにしたがって狭められている。
上記構成によれば、装置本体の周壁近傍の流路部分から吹き出した空気の流速が速くなるので、拡散送風の効果を高めることができる。
【０００９】
好ましくは、さらに上記通風路の少なくとも下流部に収容された筒形状の内ケースを備え、この内ケースにより、上記通風路が、上記内ケースの内側の内側流路と、上記装置本体と上記内ケースとの間の周辺流路とに区画され、上記内ケースの周壁において互いに対向する部位が、上記対をなす第１送風ガイドとして提供される。
上記構成によれば、内ケースにより区画された周辺流路が、上記送風範囲を広げる役割を担うことができる。
【００１０】
好ましくは、上記内側流路の流通断面積が上記吹出口に向かって増大し、上記周辺流路の流通断面積が上記吹出口に向かって減少する。
上記構成によれば、周辺流路から吹き出した空気の流速が速くなるので、拡散送風の効果を高めることができる。
【００１１】
好ましくは、上記内ケース内には風向きを変えるための風向調節機構が設置されている。
上記構成によれば拡散送風と風向調節を支障なく実現できる。
【００１２】
好ましくは、上記装置本体の周壁が上壁と下壁と左右の側壁とを有して矩形の断面形状を有し、上記内ケースの周壁も上壁と下壁と左右の側壁とを有して矩形の断面形状を有し、上記内ケースの上壁と下壁、または上記内ケースの左右の側壁が、上記第１送風ガイドとして提供される。
【００１３】
好ましくは、上記通風路において、上記内ケースの上流側には、上記周辺流路の少なくとも一部を開閉する開閉手段が配置されている。
上記構成により、主として内側流路から吹き出す集中送風と、内側流路と周辺流路の両方から吹き出す拡散送風とを選択することができる。
【００１４】
好ましくは、上記内ケースの上壁と下壁が上記第１送風ガイドとして提供され、上記吹出口に向かって上記第１方向となる上下方向に互いに離れるとともに上記装置本体の上壁と下壁にそれぞれ近づくように傾斜しており、上記内ケースの上壁の上面と下壁の下面には対をなすガイドリブがそれぞれ設けられており、これら対をなすガイドリブは上記第２送風ガイドとして提供され、上記吹出口に向かって上記第２方向となる左右方向に互いに離れるとともに上記装置本体の左右の側壁にそれぞれ近づくように傾斜している。
上記構成によれば、互いに直交する第１方向、第２方向に空気の吹き出し範囲を広げるとともに周辺流路からの空気の流速を速めるので、拡散送風の効果をより一層高めることができる。
【００１５】
好ましくは、さらに流路選択機構を備え、この流路選択機構は、上記通風路において上記内ケースの上流側に配置された上下一対の制御板を有し、上記一対の制御板はその基端部が上記装置本体に回動可能に支持されており、これら一対の制御板の先端部が上記内ケースの上壁と下壁の上流側縁部に近づいた時に、上記周辺流路の上側流路部分と下側流路部分が閉じられる。
上記構成により、主として内側流路から吹き出す集中送風と、内側流路と周辺流路の両方から吹き出す拡散送風とを選択することができる。
【００１６】
好ましくは、上記内ケースの左右の側壁の上流側端部には、上記装置本体の左右の側壁に向かって突出する遮蔽凸部が形成され、上記一対の制御板はこれら遮蔽凸部と協働して上記周辺流路を全周にわたって閉じる。
上記構成により、集中送風と拡散送風の送風範囲の差を大きくすることができる。
【００１７】
好ましくは、上記流路選択機構はさらに、上記装置本体の一方の側壁の下流側端部に設けられた操作部材と、この操作部材と上記一対の制御板の基端部とを連携するリンク機構とを有し、このリンク機構は上記操作部材の操作に応答して上記一対の制御板を互いに逆方向に同時に回動させるように構成されている。
【発明の効果】
【００１８】
本発明によれば、拡散送風を実現でき、快適さを高めることができる。
【図面の簡単な説明】
【００１９】
【図１】本発明の一実施形態に係る車両用レジスタ装置の斜視図である。
【図２】同レジスタ装置の正面図である。
【図３】同レジスタ装置の主要部の分解斜視図である。
【図４】同レジスタ装置の吹出口近傍の分解斜視図である。
【図５】同レジスタ装置の側面図である。
【図６】同レジスタ装置の装置本体とカバーを断面にして概略的に示した同レジスタ装置の側面図であり、（Ａ）は集中送風を実行している時の状態、（Ｂ）は拡散送風を実行している時の状態をそれぞれ示す。
【図７】図１におけるVII−VII矢視の概略断面を内ケースのガイドリブを省いて示す図であり、（Ａ）は送風停止状態、（Ｂ）は集中送風を実行している時の状態、（Ｃ）は拡散送風を実行している時の状態、をそれぞれ示す。
【図８】同レジスタ装置を一部断面にして示す平面図である。
【図９】同レジスタ装置を一部断面にして示す底面図である。
【発明を実施するための形態】
【００２０】
以下、本発明の一実施形態について図面を参照しながら説明する。図１、図２に示すレジスタ装置１は車両のインストルメントパネルに設置されており、空調装置からの温度調節された空気を吹き出す。以下のレジスタ装置１の説明では、レジスタ装置１の前後左右は、車両の前後左右に準拠して定めている。
【００２１】
図３、図４に示すように、レジスタ装置１は、前後方向に延びる通風路１５を有する筒形状の装置本体１０と、装置本体１０内に収容された筒形状の内ケース２０と、装置本体１０の後端部（車室側端部；下流側端部）に取り付けられたカバー３０とを主たる構成要素として備えている。
装置本体１０はインストルメントパネルに形成された取付穴に挿入され、カバー３０はこの取付穴の周縁部を車室側から覆うようにして配置されている。
【００２２】
上記装置本体１０の周壁は、上壁１１と、この上壁１１と平行をなす下壁１２と、これら上壁１１と下壁１２と直交する左右の側壁１３、１３とを有して、断面が矩形をなしている。下壁１２は上壁１１よりも後方に突出しており、これに対応して側壁１３の後端縁部が傾斜している。
【００２３】
上記装置本体１０の下流部では、上流部に比べて上壁１１が高く下壁１２が低くなっており、通風路１５の下流部は上流部より上下方向に広くなっている。上壁１１と下壁１２の中間部には段差１１ａ，１２ａがそれぞれ形成されている。
通風路１５の上流側開口が空気導入口１５ｘとなり、下流側開口が吹出口１５ｙとなっている。
【００２４】
上記内ケース２０の周壁は、上壁２１と、下壁２２と、これら上壁２１と下壁２２と直交する左右の側壁２３、２３とを有して、断面が矩形をなしている。下壁２２は上壁２１よりも後方に突出しており、これに対応して側壁２３の後端縁部が傾斜している。
【００２５】
図６〜図８に示すように、内ケース２０は装置本体１０の下流部に収容されている。内ケース２０の周壁は吹出口１５ｙまで延びている。内ケース２０の周壁は装置本体１０の周壁から離れており、この内ケース２０により、上記通風路１５の下流部は内側流路１５ａと環状の周辺流路１５ｂに区画される。
【００２６】
上記内ケース２０の上壁２１と下壁２２（第１送風ガイド）は、通風路１５の中心軸線に対して傾斜しており、吹出口１５ｙに向かうにしたがって上下方向（第１方向）に互いに離れるようになっている。上壁２１、下壁２２は、吹出口１５ｙに向かうにしたがって装置本体１０の上壁１１、下壁１２に近づく。上壁２１、２２の前部は緩やかに傾斜し、後部は急傾斜をなしている。
上記内ケース２０の左右の側壁２３は、吹出口１５ｙに向かうにしたがって互いに離れ、装置本体１０の左右の側壁１３にそれぞれ近づくように緩やかに傾斜している。
【００２７】
上記通風路１５の内側流路１５ａでは吹出口１５ｙに向かって流通断面積が増大する。通風路１５の周辺流路１５ｂでは吹出口１５ｙに向かって流通断面積が減少する。特に周辺流路１５ａの上側流路部分（上壁１１，２１間の流路部分）および下側流路部分（下壁１２，２２間の部分）では、流通断面積が大きく減少する。
【００２８】
図３、図６、図８に示すように、上記内ケース２０の上壁２１の上面には、左右一対の主ガイドリブ２５（ガイドリブ；第２送風ガイド）が垂直に起立して形成されている。これら主ガイドリブ２５は吹出口１５ｙまで延びており、吹出口１５ｙに向かうにしたがって互いに左右方向（第２方向）に離れるとともに、装置本体１０の左右の側壁１３にそれぞれ近づくように傾斜している。さらに上壁２１には、主ガイドリブ２５間において吹き出し口１５ｙに向かって互いの間隔を広げるようにして複数の補助ガイドリブ２６が形成されている。
【００２９】
図３、図６、図９に示すように、上記内ケース２０の下壁２２には、左右一対の主ガイドリブ２７（ガイドリブ；第２送風ガイド）が垂直に形成されている。これら主ガイドリブ２７は、吹出口１５ｙまで延びており、吹出口１５ｙに向かうにしたがって互いに左右方向（第２方向）に離れるとともに、装置本体１０の左右の側壁１３にそれぞれ近づくように傾斜している。さらに下壁２２には、主ガイドリブ２７間において吹き出し口１５ｙに向かって互いの間隔を広げるようにして複数の補助ガイドリブ２８が形成されている。
【００３０】
上記主ガイドリブ２５，２７には係合突起２５ａ，２７ａが設けられており、これら係合突起２５ａ，２７ａを装置本体１０の上壁１１と下壁１２に形成された係合穴に嵌め込むことにより、内ケース２０が装置本体１０に取り付けられている。
【００３１】
図３、図６、図８、図９に示すように、上記内ケース２０の一対の側壁２３の前端部（下流側端部）には、遮蔽凸部２９が形成されている。この遮蔽凸部２９は装置本体１０の側壁１３に向かって突出しており、通風路１５の周辺流路１５ｂにおける左右の流路部分を塞いでいる。
【００３２】
図１、図２、図４に示すように、上記カバー３０は矩形をなし、中央に大きな矩形の主開口３１を有し、その左右に縦長の補助開口３２を有している。主開口３１は通風路１５の内側流路１５ａと周辺流路１５ｂの上側流路部分および下側流路部分に対応して形成され、補助開口３２は、周辺流路１５ｂの左右の流路部分に対応して形成されている。
【００３３】
図１、図２、図４、図７に示すように、上記内ケース２０の内部空間（すなわち通風路１５の内側流路１５ａ）には、空気の向きを調節するための風向調節機構４０が設置されている。この風向調節機構４０は、内ケース２０の前部に支持された複数の縦ルーバ４１と、後部に支持された複数の横ルーバ４２とを有している。縦ルーバ４１は垂直回転軸を中心に回動可能に支持されており、互いに連結ロッド４３（図４参照）に連結されていて一緒に回動するようになっている。横ルーバ４２は左右方向に水平に延びる回転軸を中心に回動可能に支持されており、互いに連結ロッド４４（図４参照）に連結されていて一緒に回動するようになっている。
【００３４】
上記複数の横ルーバ４２のうちの選択された一つの中央には操作つまみ４５が取り付けられおり、この操作つまみ４５を掴んで上下に傾かせることにより、横ルーバ４２を回動させ、これにより内側流路１５ａから吹き出す空気の向きを上下方向に調節することができる。
【００３５】
上記操作つまみ４５は、連結ピース４６（図４参照）を介して中央の縦ルーバ４１に連結されており、この操作つまみ４５を横ルーバ４２に対して左右にスライドさせることにより、縦ルーバ４１を回動させ、これにより内側流路１５ａから吹き出す空気の向きを左右方向に調節することができる。
【００３６】
図１、図３、図５に示すように、レジスタ装置１はさらに流路選択機構５０を備えている。この流路選択機構５０は、上記通風路１５の下流部を流れる空気の流路を選択するものであり、上下一対の制御板５１，５１（開閉手段）と、装置本体１０の一方の側壁１３の外面に回転可能に支持された操作ダイヤル５２（操作部材）と、この操作ダイヤル５２と上記一対の制御板５１，５１を連携させるリンク機構５３とを有している。
【００３７】
図６、図７に示すように、上記一対の制御板５１，５１は、通風路１５の中間部であって内ケース２０の上流側に配置されている。制御板５１，５１の基端部が上壁１１、下壁１２の段差部１１ａ，１２ａ近傍かつその下流側において、左右の側壁１３に回動可能に支持されている。
操作ダイヤル５２の一部はカバー３０に形成された操作孔３３から室内側に突出している。
【００３８】
上記リンク機構５３は、第１〜第３のリンク５４，５５，５６を有している。第１リング５１は直線状をなし、その後端部が操作ダイヤル５２に回転可能に連結されている。第２リンク５６は十字形をなし、その後腕部が第１リンク５１の前端部に回転可能に連結され、前腕部が装置本体１０の一方の側壁１３に形成されたガイド１９に前後方向にスライド可能に支持されている。
【００３９】
図３に示すように、一対の第３リンク５６、５６の一端部は、回転軸部５６ａ，５６ａを有し、この回転軸部５６ａ，５６ａが側壁１３に形成された支持穴１３ａに挿通されることにより、側壁１３に回転可能に支持されている。これら回転軸部５６ａ，５６ａには、制御板５１，５１の基端部が相対回転不能に連結されている。
【００４０】
図３に示すように、上記第３リンク５６の他端部には、スライドピン５６ｂが固定されており、このスライドピン５６ｂが、第２リンク５５の上腕部、下腕部に形成された上下方向に延びるスリット５５ａに挿通されることにより、第３リンク５６の他端部が第２リンク５５に対して上下方向のスライド可能かつ回動可能に連結されている。
【００４１】
操作ダイヤル５２を回すと、第１リンク５４を介して第２リンク５５が前後方向に移動し、これに伴い第３リンク５６、５６を介して制御板５１，５１が回動するようになっている。制御板５１，５１は、操作ダイヤル５２の回動にしたがって、図７（Ａ）に示す位置と、図６（Ａ）、図７（Ｂ）に示す位置と、図６（Ｂ）、図７（Ｃ）に示す位置を順に選択できるように無段階で回動調節される。
【００４２】
上記構成をなすレジスタ装置の作用を説明する。図１、図５には、流路選択機構５０が制御板５１，５１を図７（Ａ）の位置にした状態を示している。制御板５１，５１が図７（Ａ）の位置にある時、その先端部が互いに接している。また、装置本体１０の上壁１１と下壁１２の段差１１ａ，１２ａは制御板５１、５１の基端部の回動軌跡に対応して断面円弧形状をなしており、これら制御板５１，５１の基端部が段差１１ａ，１２ａに接近している。その結果、制御板５１，５１は、通風路１５からの送風を遮断する（全閉にする）ことができる。そのため、例えば運転席と助手席にそれぞれ配置されたレジスタ装置１のうち、一方のレジスタ装置１からの送風を継続しながら、他方のレジスタ装置１からの送風を停止することができる。
【００４３】
上記送風停止状態から操作ダイヤル５２を図５において反時計回り方向に回すと、第１、第２リンク５４，５５が後方へ移動し、第３リンク５６が後方へ回動する。これに伴って制御板５１，５１は図７（Ａ）において矢印方向に回動し、その先端縁部が内ケース２０に向かって回動する。
【００４４】
図６（Ａ）、図７（Ｂ）に示すように、制御板５１，５１の先端部が内ケース２０の上壁２１と下壁２２の上流側の縁部近傍に達する。これにより、制御板５１，５１が、周辺流路１５ｂの上側流路部分と下側流路部分の上流端を閉じる。なお、図８、図９に示すように、周辺流路１５ｂの左右の流路部分の上流端は遮蔽凸部２９、２９により常に閉じられている。その結果、これら遮蔽凸部２９，２９と制御板５１，５１が協働して、周辺流路１５ｂを全周にわたって閉じる。これにより、通風路１５の導入口１５ｘから流入した空気は内側流路１５ａに流れ込み、この内側流路１５ａを通り、比較的狭い角度範囲に集中して吹き出される。
この際、風向調節機構４０の調節により、集中送風される空気の向きを調節することができる。
【００４５】
さらに操作ダイヤル５２を反時計回りに回すと、図６（Ｂ）、図７（Ｃ）に示すように、制御板５１，５１は内ケース２０の上壁２１と下壁２２からそれぞれ離れ、装置本体１０の上壁１１、下壁１２に近づき、これら上壁１１、下壁１２と略平行になる。その結果、周辺流路１５ｂの上側流路部分および下側流路部分の上流端が開くので、導入口１５ｘから入り込んだ空気は、内側流路１５ａのみならず、周辺流路１５の上側流路部分および下側流路部分を流れる。さらに、これら上側流路部分および下側流路部分を流れ込んだ空気の一部が遮蔽凸部２９を迂回してその下流側に回り込むため、周辺流路１５の左右の流路部分にも流れる。そのため、吹出口１５ｙにおいて、周辺流路１５ｂの全周から空気が吹き出す。このように、制御板５１，５１が図６（Ｂ）、図７（Ｃ）の位置にある時には、内側流路１５ａのみならず周辺流路１５ｂの全周から空気が吹き出すので、広い範囲にわたって送風が行なわれる（拡散送風）。そのため、乗員は穏やかな送風を受けることになり、快適さを向上させることができる。
【００４６】
上記拡散送風時において、内ケース２０の上壁２１と下壁２２は、互いに上下方向に離れるように傾斜しているため、周辺流路１５ｂの上側流路部分と下側流路部分から吹き出される空気はさらに上下方向に広がる。また、これら周辺流路１５ｂの上側流路部分と下側流路部分を通る空気はガイドリブ２５〜２８により左右に広げられて吹き出す。さらに、遮蔽凸部２９を回りこんで周辺流路１５ｂの左右流路部分を流れる空気は、互いに離れる方向に傾斜する左右の側壁２３により左右に広がる。その結果、拡散送風を良好に行なうことができる。
【００４７】
内側流路１５ａでは吹出口１５ｙに向かって流通断面積が増大するのに対して、周辺流路１５ｂでは吹出口１５ｙに向かって流通断面積が減少するので、内側流路１５ａではゆっくり吹き出すのに対して周辺流路１５ｂからは比較的早い流速で吹き出す。このことによっても、拡散送風を良好に行なうことができる。
【００４８】
上記拡散送風時にも、風向調節機構４０により内側流路１５ａから吹き出される空気の向きを調節することができる。
【００４９】
本発明は上記実施形態に制約されず、さらに種々の態様が可能である。
例えば、流路選択機構は省いてもよい。第２送風ガイドは省いてもよい。
上記実施形態において、内ケースの左右の側壁を第２送風ガイドとしてもよい。この場合、側壁の傾斜を上記実施形態より大きくすれば、左右方向の拡散効果を高めることができる。
内ケースの左右の側壁を第１送風ガイドとし、これら側壁に上下方向に離れるように傾斜するガイドリブを第２送風ガイドとして設けてもよい。
装置本体と内ケースの周壁の断面は円形であってもよい。この場合、内ケースの周壁の上側部と下側部を第１、第２送風ガイドの一方として提供し、左右部を他方として提供してもよい。
【産業上の利用可能性】
【００５０】
本発明は、車両の空調のためのレジスタ装置に適用できる。
【符号の説明】
【００５１】
１  レジスタ装置
１０  装置本体
１１  上壁
１２  下壁
１３  側壁
１５  通風路
１５ａ  内側流路
１５ｂ  周辺流路
１５ｙ  吹出口
２０  内ケース
２１  上壁（第１送風ガイド）
２２  下壁（第１送風ガイド）
２３  側壁
２５，２７  主ガイドリブ（ガイドリブ；第２送風ガイド）
２９  遮蔽凸部
４０  風向調節機構
５０  流路選択機構
５１  制御板（開閉手段）
５２  操作ダイヤル（操作部材）
５３  リンク機構
【図１】
0006434394.tif 000002
【図２】
0006434394.tif 000003
【図３】
0006434394.tif 000004
【図４】
0006434394.tif 000005
【図５】
0006434394.tif 000006
【図６】
0006434394.tif 000007
【図７】
0006434394.tif 000008
【図８】
0006434394.tif 000009
【図９】
0006434394.tif 000010